(57)【特許請求の範囲】
【請求項１】
デジタルデータを記録するテープ状情報記録媒体と、上記テープ状情報記録媒体の管理情報を記憶するメモリ手段とを備え、上記メモリ手段にテープ状情報記録媒体の媒体種別情報を記録した媒体種別情報領域と上記テープ状情報記録媒体のフォーマット情報を記録したシステム領域とを設けたメモリ付カセットに対応した情報記録再生装置であって、
上記テープ状情報記録媒体のローディング時に、上記メモリ手段の媒体種別情報領域から媒体種別情報を読み出し、この媒体種別情報に基づいて記録／再生系の動作モードを決定し、上記媒体種別情報に応じた動作制御を行う制御手段を備え、
上記制御手段は、上記テープ状情報記録媒体のローディング時に、上記メモリ手段の媒体種別情報領域から読み出した媒体種別情報に基づいて上記記録／再生系の電気特性を決定するパラメータを設定し、上記媒体種別情報に基づいて決定した動作モードにおける上記パラメータの設定状態が適正であるか否かを判定し、適正な設定状態であれば上記媒体種別情報に基づいてテープ厚とテープ長を設定して、上記メモリ手段のシステム領域からシステムデータを読み込み、読み込んだシステムデータに基づいて上記テープ状情報記録媒体を移動して上記テープ状情報記録媒体のシステム領域からシステムデータの読み込みを正常に行えるか否かを判定し、上記テープ状情報記録媒体のシステム領域からシステムデータを正常に読み込めた場合には、ローディング時の設定制御処理を終了し、決定した動作モード状態におけるパラメータの設定状態が適性でない場合、また、上記テープ状情報記録媒体のシステム領域からのシステムデータの読み込みを正常に行えない場合には、非対応のテープカセットであるとして、装着されているテープカセットをイジェクトする制御を行う
ことを特徴とする情報記録再生装置。
【請求項２】
上記制御手段は、上記テープ状情報記録媒体のローディング時に、さらにメカ制御系のパラメータを設定することを特徴とする請求項１記載の情報記録再生装置。
【発明の詳細な説明】
【０００１】
【発明の属する技術分野】
本発明は、例えばデータストレージ用途などに用いるテープカセットなどであって、デジタルデータを記録するテープ状情報記録媒体の管理情報を記憶するメモリ手段を備えたメモリ付カセットの情報記録再生装置に関する。
【０００２】
【従来の技術】
デジタルデータを磁気テープに記録及び／又は再生するテープ記録及び／又は再生装置として、いわゆるテープストリーマが知られている。テープストリーマは、記録媒体であるテープカセットに収納される磁気テープのテープ長にもよるが、数十〜数百ギガバイト程度の膨大なデータを記録することが可能であり、コンピュータに内蔵されるハードディスク等に記録されるデータを保存するバックアップ用に広く利用されている。また、データ量の大きな画像データを保存するために用いる場合にも有用である。
【０００３】
テープストリーマとして、８ミリＶＴＲ用のテープカセットと同様にテープ幅が８ｍｍの磁気テープを収納したテープカセットを記録媒体に用い、回転磁気ヘッド装置を用いたヘリカルスキャン方式によりデータの記録及び／又は再生を行うものが用いられている。
【０００４】
テープ幅が８ｍｍの磁気テープを収納したテープカセットを記録媒体として用いるテープストリーマは、記録及び／又は再生データの入出力インターフェースとして例えばＳＣＳＩ（Small Computer System Interface）インターフェースが用いられている。
【０００５】
このテープストリーマは、データの記録時に例えばホストコンピュータから供給されるデータがＳＣＳＩインターフェースを介して入力される。この入力データは所定の固定長のデータ群単位で伝送され、入力されたデータは必要があれば所定方式による圧縮処理が施され、一旦バッファメモリに蓄積される。バッファメモリに蓄積されたデータは、所定のグループといわれる固定長の単位ごとに記録及び／又は再生系に対して供給され回転ヘッドにより磁気テープに記録される。
【０００６】
また、再生時には、磁気テープに記録されたデータが回転ヘッドによって読み出され、一旦バッファメモリに蓄えられる。バッファメモリに記録されたデータは、記録時に圧縮が施されたものであれば伸長処理が施されて、ＳＣＳＩインターフェースを介してホストコンピュータに伝送される。
【０００７】
ところで、上述のようなテープストリーマドライブとホストコンピュータ、及びテープカセットよりなるデータストレージシステムにおいては、テープカセット内に、磁気テープに対しての記録再生動作などに関する各種管理情報を格納した不揮発性メモリを収納したものが開発されている。
【０００８】
この不揮発性メモリに対しては、テープストリーマドライブが対応するコネクタ端子を備えるようにしてアクセスを行うようにしている。また近年、不揮発性メモリとともにアンテナ及び無線通信系回路をテープカセット内に配し、不揮発性メモリに対するアクセスを非接触状態で実行するものも開発されている。すなわちテープストリーマドライブ等にも無線通信系回路を配することで、テープカセットに接触していない状態で、不揮発性メモリに対するデータの記録再生を実行できるようにするものである。
【０００９】
不揮発性メモリには例えばテープカセットの製造情報、使用履歴情報、磁気テープ上のパーティション情報などが管理情報として記憶される。このように不揮発性メモリに管理情報を記憶するようにすると、磁気テープ上のある特定の領域に管理情報を記録することと比べて各種動作が非常に効率化される。すなわち管理情報の書き込み／読み出しのためにテープ走行を実行させることが不要となり、管理情報の読み出しや更新に要する時間は著しく短縮化される。換言すれば磁気テープ上の位置や動作状況に拘わらず管理情報の書き込み／読み出しが可能となる。またこれにより管理情報の応用範囲が広がり多様かつ有効な制御処理が可能となる。
【００１０】
また、従来より、記録容量や記録特性の異なるテープを収納した複数種類のテープカセットが提供されており、例えばカセット本体に識別孔を設けることにより、これらを識別できるようにしていた。
【００１１】
【発明が解決しようとする課題】
ところで、カセット本体に識別孔を設けることによりテープカセットの種類を識別する方法では、物理的に識別孔を設けることができる場所が限定されてしまうため、識別可能な種類の数に制限があるので、電気特性の各種パラメータや、メカ制御に用いる各種パラメータが必ずしもそのテープにあった値であるとは限らず、ある程度似通った材質のテープ同士をひとまとめにして分類することになる。したがって、最適なパラメータで記録／再生系を制御することができず、テープの最高のパフォーマンスを発揮している状態ではなかった。
【００１２】
また、管理情報を記憶するメモリを備えていない通常のテープカセットを使用する場合、テープストリーマドライブは、そのテープカセットをハンドリング（残容量の管理やテープエンドでのドライブの挙動制御）するためにテープ長やテープ厚といった情報を必要とするが、テープフォーマットがされていないブランクテープの時には、実際にテープを１倍速で走行させてリール径を計測し、リール径の計測値からテープ長を計算することにより得なければならず、また、テープ厚の情報は予め決まった値しか使用できなかった。また、テープフォーマットがされているテープカセットの場合には、先に計測して得られた情報をテープフォーマット時にテープのシステムエリアに記録しておき、ドライブはテープのシステムエリアを読み込むことにより、テープ長やテープ厚などの情報を得なければならなかった。しかしこの場合、テープの電気特性に合わせたパラメータ設定を試行錯誤しながら決定して、テープのシステムエリアを読み込む必要があった。このために、従来のテープストリーマドライブでは、テープのローディングに長い時間を要するという問題点があった。
【００１３】
そこで、本発明の目的は、上述の如き従来の実状に鑑み、テープの記録／再生に必要な媒体種別情報を簡単に且つ迅速に取得して、媒体種別情報に応じた動作制御を行うことができるようにすることにある。
【００１４】
【課題を解決するための手段】
本発明は、デジタルデータを記録するテープ状情報記録媒体と、上記テープ状情報記録媒体の管理情報を記憶するメモリ手段とを備え、上記メモリ手段にテープ状情報記録媒体の媒体種別情報を記録した媒体種別情報領域と上記テープ状情報記録媒体のフォーマット情報を記録したシステム領域とを設けたメモリ付カセットに対応した情報記録再生装置であって、上記テープ状情報記録媒体のローディング時に、上記メモリ手段の媒体種別情報領域から媒体種別情報を読み出し、この媒体種別情報に基づいて記録／再生系の動作モードを決定し、上記媒体種別情報に応じた動作制御を行う制御手段を備え、上記制御手段は、上記テープ状情報記録媒体のローディング時に、上記メモリ手段の媒体種別情報領域から読み出した媒体種別情報に基づいて上記記録／再生系の電気特性を決定するパラメータを設定し、上記媒体種別情報に基づいて決定した動作モードにおける上記パラメータの設定状態が適正であるか否かを判定し、適正な設定状態であれば上記媒体種別情報に基づいてテープ厚とテープ長を設定して、上記メモリ手段のシステム領域からシステムデータを読み込み、読み込んだシステムデータに基づいて上記テープ状情報記録媒体を移動して上記テープ状情報記録媒体のシステム領域からシステムデータの読み込みを正常に行えるか否かを判定し、上記テープ状情報記録媒体のシステム領域からシステムデータを正常に読み込めた場合には、ローディング時の設定制御処理を終了し、決定した動作モード状態におけるパラメータの設定状態が適性でない場合、また、上記テープ状情報記録媒体のシステム領域からのシステムデータの読み込みを正常に行えない場合には、非対応のテープカセットであるとして、装着されているテープカセットをイジェクトする制御を行うことを特徴とする。
【００１６】
【発明の実施の形態】
以下、本発明の実施の形態について図面を参照しながら詳細に説明する。
【００１７】
本発明は、例えば図１に示すような構成のテープストリーマドライブ１０に適用される。
【００１８】
このテープストリーマドライブ１０は、上記テープカセット１の磁気テープ３に対して、ヘリカルスキャン方式により記録／再生を行うようにされている。この図１において、回転ドラム１１には、例えば２つの記録ヘッド１２Ａ、１２Ｂ及び３つの再生ヘッド１３Ａ、１３Ｂ、１３Ｃが設けられている。記録ヘッド１２Ａ、１２Ｂは互いにアジマス角の異なる２つのギャップが極めて近接して配置される構造となっている。再生ヘッド１３Ａ、１３Ｂも互いにアジマス角の異なるヘッドとされるが、例えば互いに９０度離れた状態で配置される。再生ヘッド１３Ｃは、記録直後の読み出し（いわゆるリードアフターライト）に用いられるヘッドとなる。
【００１９】
回転ドラム１１はドラムモータ１４Ａにより回転されるとともに、テープカセット１から引き出された磁気テープ３が巻き付けられる。また、磁気テープ３は、キャプスタンモータ１４Ｂ及び図示しないピンチローラにより送られる。また磁気テープ３は図３に示すようにリール２Ａ、２Ｂに巻装されており、各リール２Ａ、２Ｂはそれぞれリールモータ１４Ｃ、１４Ｄによりそれぞれ順方向及び逆方向に回転される。
【００２０】
ドラムモータ１４Ａ、キャプスタンモータ１４Ｂ、リールモータ１４Ｃ、１４Ｄはそれぞれメカドライバ１７からの電力供給により回転駆動される。メカドライバ１７はサーボコントローラ１６からの制御に基づいて各モータを駆動する。サーボコントローラ１６は各モータの回転速度制御を行って通常の記録再生時の走行や高速再生時のテープ走行、早送り、巻き戻し時のテープ走行などを実行させる。なおＥＥＰ−ＲＯＭ１８にはサーボコントローラ１６が各モータのサーボ制御に用いる定数等が格納されている。サーボコントローラ１６はインターフェースコントローラ／ＥＣＣフォーマター２２（以下、ＩＦ／ＥＣＣコントローラという）を介してシステム全体の制御処理を実行するシステムコントローラ１５と双方向に接続されている。
【００２１】
このテープストリーマドライブ１０においては、データの入出力にＳＣＳＩインターフェース２０が用いられている。例えばデータ記録時にはホストコンピュータ４０から、固定長のレコード(record)という伝送データ単位によりＳＣＳＩインターフェース２０を介して逐次データが入力され、圧縮／伸長回路２１に供給される。なお、このようなテープストリーマドライブシステムにおいては、可変長のデータの集合単位によってホストコンピュータ４０よりデータが伝送されるモードも存在する。
【００２２】
圧縮／伸長回路２１では、入力されたデータについて必要があれば、所定方式によって圧縮処理を施すようにされる。圧縮方式の一例として、例えばＬＺ符号による圧縮方式を採用するのであれば、この方式では過去に処理した文字列に対して専用のコードが割り与えられて辞書の形で格納される。そして、以降に入力される文字列と辞書の内容とが比較されて、入力データの文字列が辞書のコードと一致すればこの文字列データを辞書のコードに置き換えるようにしていく。辞書と一致しなかった入力文字列のデータは逐次新たなコードが与えられて辞書に登録されていく。このようにして入力文字列のデータを辞書に登録し、文字列データを辞書のコードに置き換えていくことによりデータ圧縮が行われるようにされる。
【００２３】
圧縮／伸長回路２１の出力は、ＩＦ／ＥＣＣコントローラ２２に供給されるが、ＩＦ／ＥＣＣコントローラ２２においてはその制御動作によって圧縮／伸長回路２１の出力をバッファメモリ２３に一旦蓄積する。このバッファメモリ２３に蓄積されたデータはＩＦ／ＥＣＣコントローラ２２の制御によって、最終的にグループ（Ｇｒｏｕｐ）という磁気テープの４０トラック分に相当する固定長の単位としてデータを扱うようにされ、このデータに対してＥＣＣフォーマット処理が行われる。
【００２４】
ＥＣＣフォーマット処理としては、記録データについて誤り訂正コードを付加するとともに、磁気記録に適合するようにデータについて変調処理を行ってＲＦ処理部１９に供給する。ＲＦ処理部１９では供給された記録データに対して増幅、記録イコライジング等の処理を施して記録信号を生成し、記録ヘッド１２Ａ、１２Ｂに供給する。これにより記録ヘッド１２Ａ、１２Ｂから磁気テープ３に対するデータの記録が行われることになる。
【００２５】
また、データ再生動作について簡単に説明すると、磁気テープ３の記録データが再生ヘッド１３Ａ、１３ＢによりＲＦ再生信号として読み出され、その再生出力はＲＦ処理部１９で再生イコライジング、再生クロック生成、２値化、デコード（例えばビタビ復号）などが行われる。このようにして読み出された信号は、ＩＦ／ＥＣＣコントローラ２２に供給されて、まず誤り訂正処理等が施される。そしてバッファメモリ２３に一時蓄積され、所定の時点で読み出されて圧縮／伸長回路２１に供給される。圧縮／伸長回路２１では、システムコントローラ１５の判断に基づいて、記録時に圧縮／伸長回路２１により圧縮が施されたデータであれば、ここでデータ伸長処理を行い、非圧縮データであれば、データ伸長処理を行わずにそのままパスして出力される。圧縮／伸長回路２１の出力データはＳＣＳＩインターフェース２０を介して再生データとしてホストコンピュータ４０に出力される。
【００２６】
また、この図１にはテープカセット１内のリモートメモリチップ４が示されている。このリモートメモリチップ４に対しては、テープカセット１本体がテープストリーマドライブに装填されることで、リモートメモリインターフェース３０を介して非接触状態でシステムコントローラ１５とデータの入出力が可能な状態となる。リモートメモリインターフェース３０としてはデータインターフェース３１、ＲＦインターフェース３２、アンテナ３３が設けられる。
【００２７】
このリモートメモリインターフェース３０の構成を図２に示す。データインターフェース３１は、システムコントローラ１５との間のデータのやりとりを行う。後述するように、リモートメモリチップ４に対するデータ転送は、機器側からのコマンドとそれに対応するリモートメモリチップ４からのアクナレッジという形態で行われるが、システムコントローラ１５がリモートメモリチップ４にコマンドを発行する際には、データインターフェース３１がコマンドデータを受け取り、ＲＦインターフェース３２に供給する。またデータインターフェース３１はＲＦインターフェース３２に対して搬送波周波数ＣＲ（１３ＭＨｚ）を供給する。
【００２８】
ＲＦインターフェース３２には図２に示すようにコマンド（送信データ）ＷＳを振幅変調（１００ＫＨｚ）して搬送波周波数ＣＲに重畳するとともに、その変調信号を増幅してアンテナ３３に給電するＲＦ変調／増幅回路３２ａが形成されている。このＲＦ変調／増幅回路３２ａにより、コマンドデータがアンテナ３３からテープカセット１内のアンテナ５に対して無線送信される。
【００２９】
そして、後述する図３乃至図５に示すような構成のテープカセット１側では、コマンドデータをアンテナ５で受信することでパワーオン状態となり、コマンドで指示された内容に応じてコントローラ４ｃが動作を行う。例えば書き込みコマンドとともにデータが送信されてきた場合には、送信されてきたデータをＥＥＰ−ＲＯＭ４ｄに書き込む。
【００３０】
また、このようにリモートメモリインターフェース３０からコマンドが発せられた際には、リモートメモリチップ４はそれに対応したアクナレッジを発することになる。すなわちリモートメモリチップ４のコントローラ４ｃはアクナレッジとしてのデータをＲＦ４ｂで変調・増幅させ、アンテナ５から送信出力する。このようなアクナレッジが送信されてアンテナ３３で受信された場合は、その受信信号はＲＦインターフェース３２の整流回路３２ｂで整流された後、コンパレータ３２ｃでデータとして復調される。そしてデータインターフェース３１からシステムコントローラ１５に供給される。例えばシステムコントローラ１５からリモートメモリチップ４に対して読み出しコマンドを発した場合は、リモートメモリチップ４はそれに応じたアクナレッジとしてのコードとともにＥＥＰ−ＲＯＭ４ｄから読み出したデータを送信してくる。するとそのアクナレッジコード及び読み出したデータが、リモートメモリインターフェース３０で受信復調され、システムコントローラ１５に供給される。
【００３１】
以上のようにテープストリーマドライブ１０は、リモートメモリインターフェース３０を有することで、テープカセット１内のリモートメモリチップ４に対してアクセスできることになる。なお、このような非接触でのデータ交換は、データを１３ＭＨｚ帯の搬送波に１００ＫＨｚの振幅変調で重畳するが、元のデータはパケット化されたデータとなる。すなわちコマンドやアクナレッジとしてのデータに対してヘッダやパリティ、その他必要な情報を付加してパケット化を行い、そのパケットをコード変換してから変調することで、安定したＲＦ信号として送受信できるようにしている。なお、このような非接触インターフェースを実現する技術は本出願人が先に出願し特許登録された技術として紹介されている（特許第２５５０９３１号）。
【００３２】
Ｓ−ＲＡＭ２４，フラッシュＲＯＭ２５には、システムコントローラ１５が各種処理に用いるデータが記憶される。例えばフラッシュＲＯＭ２５には制御に用いる定数等が記憶される。またＳ−ＲＡＭ２４はワークメモリとして用いられたり、リモートメモリチップ４から読み出されたデータ、リモートメモリチップ４に書き込むデータ、テープカセット単位で設定されるモードデータ、各種フラグデータなどの記憶や演算処理などに用いるメモリとされる。なお、Ｓ−ＲＡＭ２４，フラッシュＲＯＭ２５は、システムコントローラ１５を構成するマイクロコンピュータの内部メモリとして構成してもよく、またバッファメモリ２３の領域の一部をワークメモリとして用いる構成としてもよい。
【００３３】
テープストリーマドライブ１０とホストコンピュータ２５との間は、上記のようにＳＣＳＩインターフェース２０を用いて情報の相互伝送が行われるが、システムコントローラ１５に対してはホストコンピュータ４０がＳＣＳＩコマンドを用いて各種の通信を行うことになる。
【００３４】
このようなテープストリーマドライブ１０に対応するテープカセットについて図３乃至図５を参照して説明する。図３は、テープカセットの内部構造を概念的に示す図であり、この図３に示すテープカセット１の内部にはリール２Ａ及び２Ｂが設けられ、このリール２Ａ及び２Ｂ間にテープ幅８ｍｍの磁気テープ３が巻装される。そして、このテープカセット１には不揮発性メモリ及びその制御回路系等を内蔵したリモートメモリチップ４が設けられている。またこのリモートメモリチップ４は後述するテープストリーマドライブやライブラリ装置におけるリモートメモリインターフェース３０と無線通信によりデータ伝送を行うことができるものとされ、このためのアンテナ５が設けられている。リモートメモリチップ４には、テープカセットごとの製造情報やシリアル番号情報、テープの厚さや長さ、材質、各パーティションごとの記録データの使用履歴等に関連する情報、ユーザ情報等が記憶される。なお、本明細書では上記リモートメモリチップ４に格納される各種情報は、主として磁気テープ３に対する記録／再生の各種管理のために用いられることから、これらを一括して『管理情報』とも言う。
【００３５】
このようにテープカセット筐体内に不揮発性メモリを設け、その不揮発性メモリに管理情報を記憶させ、またこのテープカセットに対応するテープストリーマドライブでは、不揮発性メモリに対する書き込み／読み出しのためのインターフェースを備えるようにし、不揮発性メモリに対して磁気テープに対するデータ記録再生に関する管理情報の読み出しや書き込みを行うことで、磁気テープ３に対する記録再生動作を効率的に行うことができる。例えばローディング／アンローディングの際に磁気テープを例えばテープトップまで巻き戻す必要はなく、すなわち途中の位置でも、ローディング、及びアンローディング可能とすることができる。またデータの編集なども不揮発性メモリ上での管理情報の書換えで実行できる。さらにテープ上でより多数のパーティションを設定し、かつ適切に管理することも容易となる。
【００３６】
図４は、テープカセット１の外観斜視図であり、筺体全体は上側ケース６ａ、下側ケース６ｂ、及びガードパネル８からなり、通常の８ミリＶＴＲに用いられるテープカセットの構成と基本的には同様となっている。なお、このテープカセット１の側面のラベル面９には、端子部６ｃが設けられているが、これは本例では説明しない接触型のメモリを内蔵したタイプのテープカセットにおいて電極端子が配される部位とされていたもので、本例のように非接触のリモートメモリチップ４を内蔵するタイプでは用いられない。単に装置に対するテープカセット形状の互換性を保つために設けられているのみである。
【００３７】
筐体両側面部には、凹部７が形成されている。これは例えば後述するライブラリ装置５０が搬送時にテープカセットを保持する部位とされる。
【００３８】
リモートメモリチップ４の内部構成を図５に示す。例えばリモートメモリチップ４は半導体ＩＣとして図５に示すようなパワー回路４ａ、ＲＦ処理部４ｂ、コントローラ４ｃ、ＥＥＰ−ＲＯＭ４ｄを有するものとされる。
そして例えばこのようなリモートメモリチップ４がテープカセット１の内部に固定されたプリント基板上にマウントされ、プリント基板上の銅箔部分でアンテナ５を形成する。
【００３９】
このリモートメモリチップ４は非接触にて外部から電力供給を受ける構成とされる。後述するテープストリーマドライブ１０やライブラリ装置５０との間の通信は、例えば１３ＭＨｚ帯の搬送波を用いるが、テープストリーマドライブ１０やライブラリ装置５０からの電波をアンテナ５で受信することで、パワー回路４ａが１３ＭＨｚ帯の搬送波を直流電力に変換する。そしてその直流電力を動作電源としてＲＦ処理部４ｂ、コントローラ４ｃ、ＥＥＰ−ＲＯＭ４ｄに供給する。
【００４０】
ＲＦ処理部４ｂは受信された情報の復調及び送信する情報の変調を行う。コントローラ４ｃはＲＦ処理部４ｂからの受信信号のデコード、及びデコードされた情報（コマンド）に応じた処理、例えばＥＥＰ−ＲＯＭ４ｄに対する書き込み／読み出し処理などを実行制御する。すなわちリモートメモリチップ４はテープストリーマドライブ１０やライブラリ装置５０からの電波が受信されることでパワーオン状態となり、コントローラ４ｃが搬送波に重畳されたコマンドによって指示された処理を実行して不揮発性メモリであるＥＥＰ−ＲＯＭ４ｄのデータを管理する。
【００４１】
ここで、このテープストリーマドライブ１０は、８ミリテープを用いた大容量・高速転送レートのテープストリーマ規格「ＡＩＴ（Advanced Intelligent Tape）」に準拠したドライブである。
【００４２】
テープストリーマドライブ１０で取り扱うテープカセット１は、予めカセット製造時に搭載されているメモリにＡＩＴ  ＭＩＣフォーマットに基づいてフォーマットが施され、ＭＩＣヘッダ部の情報が記録されている。
【００４３】
ここで、ＡＩＴ−１準拠した接触型メモリ(AIT-１ C-MIC)の論理フォーマットを図６乃至図８に示す。図６は、ＡＩＴ１  Ｃ−ＭＩＣの論理フォーマットの全体構成を示し、図７は、上記論理フォーマットのマニファクチャパート(Manufacture Part)の構成を示し、図８は、上記論理フォーマットのドライブイニシャライズパート(Drive Initialize Part)の構成を示す。
【００４４】
また、ＡＩＴ−２準拠した接触型メモリ(AIT-2 C-MIC) の論理フォーマットを図９乃至図１１に示す。図９は、ＡＩＴ２  Ｃ−ＭＩＣの論理フォーマットの全体構成を示し、図１０は、上記論理フォーマットのマニファクチャパート(Manufacture Part)の構成を示し、図１１は、上記論理フォーマットのドライブイニシャライズパート(Drive Initialize Part)の構成を示す。
【００４５】
さらに、ＡＩＴ−２準拠した非接触型メモリ(AIT-2 Remote MIC:以下Ｒ−ＭＩＣという) の論理フォーマットを図１２乃至図１５に示す。図１２は、Ｒ−ＭＩＣの論理フォーマットの全体構成を示し、図１３は、上記論理フォーマットのマニファクチャパート(Manufacture Part)の構成を示し、図１４は、上記論理フォーマットのドライブイニシャライズパート(Drive Initialize Part)の構成を示し、さらに、図１５は、上記論理フォーマットのボリュームタグ(Volume Tags)の構成を示している。この論理フォーマットに従い、ＡＩＴカセット製造時に組み込まれるそれぞれのＭＩＣにプリフォーマットされ、ＡＩＴドライブでカセットが使用されると同時に、各領域のデータが必要に応じてドライブによって更新される。
【００４６】
ＭＩＣヘッダ(MIC Header)は、カセット製造時の情報やＭＩＣの素性を示す情報を記録する領域(Manufacture Part)、ＭＩＣのデータマネージメント情報を記録する領域(Drive Initialize Part) 、カセットの素性を示す情報を記録する領域(Volume Information, Volume Tags, Accumulative Partition Information)に分かれている。
【００４７】
さらに、ＭＩＣには、この他、テープのフォーマット情報やログが記録されるシステム領域(Partition Information)、ユーザ定義の情報をリード／ライトできるユーザ領域(User Volume Note, User Partition Note)、高速サーチで使用するスーパーハイスピードサーチマップ領域(Super High Speed Serach Map)が存在するが、これらは、図１６（Ａ），（Ｂ），（Ｃ）及び図１７（Ａ），（Ｂ）に示すように、上記論理フォーマットのＭＩＣヘッダ(MIC Header)部以外のメモリフリープール(Memory Free Pool)部に書き込まれ、追加／削除(Append/Delete)される。
【００４８】
カセット製造時には、ＭＩＣヘッダ（MIC Header）のみがフォーマットされ、残りの領域はドライブによりテープがフォーマットされて初めてフォーマットされる。各々の領域の各構成要素にはパリティが付加されている。図１８（Ａ），（Ｂ），（Ｃ）及び図１９に示すように、パリティの他に、各データの種類別にリスト構造を構成するポインタ（メモリ内のアドレス情報）等のリンケージ情報を含むセル構造となっている。これらのポインタのマスターポインタが前述のＭＩＣヘッダ（MIC Header）内のドライブイニシャライズパート（Drive Initialize Part）に格納されており、ここから各データのポインタを辿っていくことにより、各データを参照することができる。
【００４９】
テープの種類や性質を示す媒体種別情報(Physical Tape Characteristic ID) は、図２０に示すように、Enable Bit (Bit 15)、Magnetic Layer (Bit 14)、Applied Read Head (Bit 13,12)、Extension Area Bit (Bit 11)、Tape Type (Bit 10,9,8)、Tape Thickness (Bit 7,6) 、Tape Length (Bit 5,4,3,2,1,0)の１６ビットで構成される。上記媒体種別情報(Physical Tape Characteristic ID) を記録する領域は、ＭＩＣ内にはそれぞれのＭＩＣフォーマット別に図７、図１０及び図１５に網掛けを施して示してあるように、ＭＩＣヘッダ(MIC Header)内に設けられ、ＭＩＣヘッダ(MIC Header)の他の情報と同様、カセット製造時にＭＩＣにプリフォーマットされる。
【００５０】
上記媒体種別情報(Physical Tape Characteristic ID)を構成しているEnable Bit (Bit 15)は、このビットが１の時、Bit ７〜０のデータに付け加えて、Bit 14〜8のデータは有効であることを示す。逆に、このビットが０ならば、Bit 14〜8のデータは無効であることを示し、Bit ７〜０のみが有効であることを示す。
【００５１】
また、Magnetic Layer (Bit 14)は、このビットが０であれば、テープの磁性層が単層であることを示し、１であればテープの磁性層が二層であることを示す。このビットの情報を用いることにより、テープの磁性層の構造に応じて、例えばメカ制御系によるテンション制御のパラメータや記録／再生系の電気特性、例えば電流値やイコライザ特性などの各種パラメータを適正に制御することが可能になる。
【００５２】
また、Applied Read Head (Bit 13,12)は、テープが許容するドライブ搭載の再生ヘッドの種類を２ビットで示す。この２ビットの情報を用いることにより、例えば、ドライブが数種類のヘッドを搭載している場合の再生ヘッドの選択や、テープに適合するヘッドを搭載していない場合に、ドライブによるカセットのイジェクト制御等を行うことが可能になる。
【００５３】
また、Extension Area Bit (Bit 11)は、通常このビットは０であり、１のときにＭＩＣ内の他の領域に参照すべき関連情報があることを示す。
【００５４】
また、Tape Type (Bit 10,9,8)は、テープの最も特徴的な性質を３ビットで表す。この３ビットの情報を用いることにより、ドライブのＲＦ回路や磁気ヘッド等の電気特性を決定する各種パラメータを最適に設定することが可能になる。
【００５５】
また、Tape Thickness (Bit 7,6)は、テープの厚さを２ビットで示す。この３ビットの情報を用いることにより、ドライブのメカ制御系の各種パラメータを最適に設定することが可能になる。
【００５６】
さらに、Tape Length (Bit 5,4,3,2,1,0)は、テープの長さを６ビットで示す。この６ビットの情報は、残容量、テープエンドでのドライブの挙動制御等に用いられる。
【００５７】
このテープストリーマドライブ１０におけるシステムコントローラ２２は、カセットが挿入され、ローディングを実行する際に、図２１のフローチャートに示す手順に従ってモードやパラメータの設定制御を行う。
【００５８】
すなわち、ＭＩＣのヘッダをチェックし（ステップＳ１）、ＭＩＣヘッダがＯＫであれば、ＭＩＣから媒体種別情報(Physical Tape Characteristic ID)を読み込む（ステップＳ２）。
【００５９】
次に、読み込んだ媒体種別情報(Physical Tape Characteristic ID)のEnable Bit (Bit 15)が１であるかを判定する（ステップＳ３）。このステップＳ３における判定結果がＹＥＳ、すなわちEnable Bit (Bit 15)が１で媒体種別情報(Physical Tape Characteristic ID)のBit 14〜8のデータが有効であるときには、次に、Extension Area Bit (Bit 11)が１であるか否かを判定する（ステップＳ４）。また、上記ステップＳ３における判定結果がＮＯ、すなわちEnable Bit (Bit 15)が０で媒体種別情報(Physical Tape Characteristic ID)のBit 14〜8のデータが無効であるときには、ステップＳ８に進んでテープ厚とテープ長とを設定する。
【００６０】
そして、上記ステップＳ４における判定結果がＹＥＳ、すなわちExtension Area Bit(Bit 11)が１でＭＩＣ内の他の領域に参照すべき関連情報がある場合には、ＭＩＣ内の他の領域にある参照すべき関連情報を読み込んでその他のデータの設定を行って（ステップＳ５）、ステップＳ６に進む。また、上記ステップＳ４における判定結果がＮＯ、すなわちExtension Area Bit(Bit 11)が０でＭＩＣ内の他の領域に参照すべき関連情報がない場合には、上記媒体種別情報（Physical Tape Characteristic ID）に基づいて各種モードの設定やパラメータの設定を行う。具体的には、Magnetic Layer(Bit 14)、Applied Read Head(Bit 13, 12)やTape Type(Bit 10, 9, 8)の各情報により、最適ヘッドの選択、記録／再生電流の設定やメカ制御系の各種パラメータの設定を行う。
【００６１】
次に、上記ステップＳ６で設定された各種パラメータなどの設定状態がこのドライブに対応して適正であるか否かを判定する（ステップＳ７）。このステップＳ７の判定結果がＯＫ、すなわち適正な設定状態であれば、上記媒体種別情報（Physical Tape Characteristic ID）のTape Thickness(Bit 7, 6)及びTape Length(Bit 5,4,3,2,1,0)に基づいてテープ厚とテープ長とを設定する（ステップＳ８）。
【００６２】
次に、ＭＩＣからシステムデータを読み込み（ステップＳ９）、読み込んだシステムデータに基づいてシステム領域にテープを移動する（ステップＳ１０）。
【００６３】
そして、テープのシステム領域からのシステムデータの読み込みを正常に行えるか否かを判定する（ステップＳ１１）。
【００６４】
上記ステップＳ１１の判定結果がＯＫ、すなわちテープのシステム領域からのシステムローダの読み込みを正常に行えた場合には、ローディング時の設定制御処理を終了する。
【００６５】
なお、上記ステップＳ７の判定結果がＮＧ、すなわち適正な設定状態でない場合、また、上記ステップＳ１１の判定結果がＮＧ、すなわちテープのシステム領域からのシステムデータの読み込みを正常に行えない場合には、装着されているテープカセットがこのドライブに非対応であるとして、テープカセットをイジェクトして（ステップＳ１２）、処理を終了する。
【００６６】
また、上記ステップＳ１の判定結果がＮＧ、すなわちＭＩＣがない場合には、システム領域にテープを移動して（ステップＳ１３）、順番に各種モードの設定やパラメータの設定を行う。具体的には、順番にヘッドの選択、記録／再生電流の設定やメカ制御系の各種パラメータの設定を行う（ステップＳ１４）。
【００６７】
そして、テープのシステム領域からのシステムデータの読み込みを正常に行えるか否かを判定する（ステップＳ１５）。
【００６８】
このステップＳ１５における判定結果がＮＧ、すなわちシステムデータの読み込みを正常に行えなかった場合には、他のモードが存在するか否かを判定し（ステップＳ１６）、その判定結果がＹＥＳ、すなわち他のモードが存在する場合には、上記ステップＳ１４に戻ってモードやパラメータを再設定する。
【００６９】
上記ステップＳ１５における判定結果がＯＫ、すなわちシステムデータの読み込みを正常に行えた場合には、テープのシステム領域から媒体種別情報(Physical Tape Characteristic ID)を読み込み、（ステップＳ１７）、テープ厚とテープ長とを設定して（ステップＳ１８）、ローディング時の設定制御処理を終了する。
【００７０】
また、上記ステップＳ１６の判定結果がＮＯ、すなわち他のモードが存在しない場合には、テープを１倍速で走行させてリール径を計測し、リール径の計測値からテープ長を算出して（ステップＳ１９）、ローディング時の設定制御処理を終了する。
【００７１】
このように上記媒体種別情報(Physical Tape Characteristic ID) をカセット製造時に予めＭＩＣに書き込んでおくことにより、ドライブは、テープローディング時に、テープ自体の読み込みや識別孔の確認などを必要とすることなく、ＭＩＣからその情報を読み込むだけで、テープを記録／再生するために必要な情報を得ることができる。これにより、従来よりも遙かにテープを細かく識別可能とし、ローディング時に要する時間も短縮することができる。
【００７２】
すなわち、ドライブは、テープローディング時に、ＭＩＣから上記媒体種別情報(Physical Tape Characteristic ID)を読み込むだけで、テープを特定し、テープへの記録／再生制御系のモードを決定するために必要な情報を得ることができる。
【００７３】
また、ドライブは、テープを走行させることなく、ＭＩＣから上記媒体種別情報(Physical Tape Characteristic ID)を読み込むだけで、テープ長やテープ厚を知ることができる。
【００７４】
さらに、ドライブは、ＭＩＣから上記媒体種別情報(Physical Tape Characteristic ID)を読み込むことにより、ＲＦ回路や磁気ヘッドなどの電気特性を一意に決定することができるので、これらの電気特性のパラメータを決定するために、テープローディング時に実際にテープを走行させ、各種パラメータを変化させながら記録／再生を行った電気特性を決定する必要がない。
【００７５】
従って、ローディング時に要する時間も短縮することができる。
【００７６】
【発明の効果】
以上のように、本発明に係る情報記録再生装置では、テープ状情報記録媒体のローディング時に、上記テープ状情報記録媒体に備えられたメモリ手段の媒体種別情報領域から媒体種別情報を読み出し、この媒体種別情報に基づいて記録／再生系の動作モードを決定し、上記媒体種別情報に応じた動作制御を行う制御手段により、上記テープ状情報記録媒体のローディング時に、上記メモリ手段の媒体種別情報領域から読み出した媒体種別情報に基づいて上記記録／再生系の電気特性を決定するパラメータを設定し、上記媒体種別情報に基づいて決定した動作モードにおける上記パラメータの設定状態が適正であるか否かを判定し、適正な設定状態であれば上記媒体種別情報に基づいてテープ厚とテープ長を設定して、上記メモリ手段のシステム領域からシステムデータを読み込み、読み込んだシステムデータに基づいて上記テープ状情報記録媒体を移動して上記テープ状情報記録媒体のシステム領域からシステムデータの読み込みを正常に行えるか否かを判定し、上記テープ状情報記録媒体のシステム領域からシステムデータを正常に読み込めた場合には、ローディング時の設定制御処理を終了し、決定した動作モード状態におけるパラメータの設定状態が適性でない場合、また、上記テープ状情報記録媒体のシステム領域からのシステムデータの読み込みを正常に行えない場合には、非対応のテープカセットであるとして、装着されているテープカセットをイジェクトする制御を行うので、テープローディング時に、テープ自体の読み込みや識別孔の確認などを必要とすることなく、上記メモリ手段からその情報を読み込むだけで、テープを記録／再生するために必要な情報を得ることができ、従来よりも遙かにテープを細かく識別可能とし、ローディング時に要する時間も短縮することができ、しかも、非対応のテープカセットが装着された場合には自動的にイジェクトすることができる。
【図面の簡単な説明】
【図１】本発明を適用したテープストリーマドライブの構成を示すブロック図である。
【図２】上記テープストリーマドライブに用いたリモートメモリインターフェースの構成を示す回路図である。
【図３】  上記テープストリーマドライブに対応したテープカセットの内部構造を概略的に示す説明図である。
【図４】  上記テープカセットの外観を示す斜視図である。
【図５】  上記テープカセットに設けられるリモートメモリチップのブロック図である。
【図６】  上記テープカセットに搭載されるＡＩＴ１  Ｃ−ＭＩＣの論理フォーマットの全体構成を示す図である。
【図７】  上記論理フォーマットのマニファクチャパート(Manufacture Part)の構成を示す図である。
【図８】  上記論理フォーマットのドライブイニシャライズパート(Drive Initialize Part)の構成を示す図である。
【図９】  上記テープカセットに搭載されるＡＩＴ２  Ｃ−ＭＩＣの論理フォーマットの全体構成を示す図である。
【図１０】  上記論理フォーマットのマニファクチャパート(Manufacture Part)の構成を示す図である。
【図１１】  上記論理フォーマットのドライブイニシャライズパート(Drive Initialize Part)の構成を示す図である。
【図１２】  上記テープカセットに搭載されるＡＩＴ２  Ｒ−ＭＩＣの論理フォーマットの全体構成を示す図である。
【図１３】  上記論理フォーマットのマニファクチャパート(Manufacture Part)の構成を示す図である。
【図１４】  上記論理フォーマットのドライブイニシャライズパート(Drive Initialize Part)の構成を示す図である。
【図１５】  上記論理フォーマットのボリュームタグ(Volume Tags)の構成を示す図である。
【図１６】  上記論理フォーマットのメモリフリープール（Memory Free Pool）部に書き込まれるシステムデータ(System Data)やユーザデータ(User Data)が追加／削除(Append/Delete)される状態を示す図である
【図１７】  上記論理フォーマットのメモリフリープール（Memory Free Pool）部に書き込まれるシステムデータ(System Data)やユーザデータ(User Data)が追加／削除(Append/Delete)される状態を示す図である
【図１８】  上記論理フォーマットのメモリフリープール（Memory Free Pool）部に書き込まれるデータセル構造を示す図である
【図１９】  上記論理フォーマットのメモリフリープール（Memory Free Pool）部に書き込まれるデータセル構造を示す図である
【図２０】  媒体種別情報(Physical Tape Characteristic ID)の構成を示す図である。
【図２１】  上記テープストリーマドライブのシステムコントローラによるテープローディング時の設定制御動作の処理手順を示すフローチャートである。
【符号の説明】
１  テープカセット、３  磁気テープ、４  リモートメモリチップ、５  アンテナ、１０  テープストリーマドライブ、１１  回転ドラム、１２Ａ，１２Ｂ記録ヘッド、１３Ａ，１３Ｂ，１３Ｃ  再生ヘッド、１５  システムコントローラ、１６  サーボコントローラ、１７  メカドライバ、１９  ＲＦ処理部、２０  ＳＣＳＩインターフェイス、２１  圧縮／伸長回路、２２  ＩＦコントローラ／ＥＣＣフォーマター、２３  バッファメモリ、３０  リモートメモリインターフェース、３３  アンテナ、４０  ホストコンピュータ、５０  ライブラリ装置
【図１】
0004513186.tif 000002
【図２】
0004513186.tif 000003
【図３】
0004513186.tif 000004
【図４】
0004513186.tif 000005
【図５】
0004513186.tif 000006
【図６】
0004513186.tif 000007
【図７】
0004513186.tif 000008
【図８】
0004513186.tif 000009
【図９】
0004513186.tif 000010
【図１０】
0004513186.tif 000011
【図１１】
0004513186.tif 000012
【図１２】
0004513186.tif 000013
【図１３】
0004513186.tif 000014
【図１４】
0004513186.tif 000015
【図１５】
0004513186.tif 000016
【図１６】
0004513186.tif 000017
【図１７】
0004513186.tif 000018
【図１８】
0004513186.tif 000019
【図１９】
0004513186.tif 000020
【図２０】
0004513186.tif 000021
【図２１】
0004513186.tif 000022